【手続補正書】
【提出日】平成18年5月10日(2006.5.10)
【手続補正１】
【補正対象書類名】明細書
【補正対象項目名】特許請求の範囲
【補正方法】変更
【補正の内容】
【特許請求の範囲】
【請求項１】  パケット通信ネットワークに接続して情報をやりとりするパケット通信ネットワーク伝送制御手段と、
疑似的にファクシミリモデム機能を実現する疑似ファクシミリモデム手段と、
上記疑似ファクシミリモデム手段に接続して、所定のモデムコマンドおよびグループ３ファクシミリ伝送手順コマンドを上記疑似ファクシミリモデム手段との間でやりとりし、ファクシミリ通信を実現するファクシミリ通信手段を備え、
グループ３ファクシミリ伝送手順において上記ファクシミリ通信手段から上記疑似ファクシミリモデム手段へ送出されるデータは、上記パケット通信ネットワーク伝送制御手段を介し、上記パケット通信ネットワークを介して接続される相手端末へ送出し、上記相手端末より受信したデータは、上記疑似ファクシミリモデム手段を介し、上記ファクシミリ通信手段へ送出するとともに、上記相手端末との間のデータのやりとりは、所定のＩＴＵ−Ｔ勧告Ｔ．３８に準拠した伝送手順を適用することを特徴とするネットワークファクシミリ通信制御方法。
【請求項２】  パケット通信ネットワークに接続して情報をやりとりするパケット通信ネットワーク伝送制御手段と、
疑似的にファクシミリモデム機能を実現する疑似ファクシミリモデム手段と、
上記疑似ファクシミリモデム手段に接続して、所定のモデムコマンドおよびグループ３ファクシミリ伝送手順コマンドを上記ファクシミリモデム手段との間でやりとりし、ファクシミリ通信を実現するファクシミリ通信手段と、
アナログ公衆網へ接続し、グループ３ファクシミリモデム機能を備えたアナログ通信手段を備え、
グループ３ファクシミリ伝送手順において上記ファクシミリ通信手段から上記疑似ファクシミリモデム手段へ送出されるデータは、上記パケット通信ネットワーク伝送制御手段を介し、上記パケット通信ネットワークを介して接続される相手端末へ送出し、上記相手端末より受信したデータは、上記疑似ファクシミリモデム手段を介し、上記ファクシミリ通信手段へ送出するとともに、上記相手端末との間のデータのやりとりは、所定のＩＴＵ−Ｔ勧告Ｔ．３８に準拠した伝送手順を適用し、
さらに、上記パケット通信ネットワークを介して、上記相手端末へ接続できなかった場合には、上記ファクシミリ通信手段と上記アナログ通信手段を接続し、上記アナログ公衆網を介してファクシミリ通信を行うようにすることを特徴とするネットワークファクシミリ通信制御方法。
【請求項３】  パケット通信ネットワークに接続して情報をやりとりするパケット通信ネットワーク伝送制御手段と、
疑似的にファクシミリモデム機能を実現する疑似ファクシミリモデム手段と、
上記疑似ファクシミリモデム手段に接続して、所定のモデムコマンドおよびグループ３ファクシミリ伝送手順コマンドを上記ファクシミリモデム手段との間でやりとりし、ファクシミリ通信を実現するファクシミリ通信手段と、
グループ３ファクシミリ伝送手順において上記ファクシミリ通信手段から上記疑似ファクシミリモデム手段へ送出されるデータは、上記パケット通信ネットワーク伝送制御手段を介し、上記パケット通信ネットワークを介して接続される相手端末へ送出するとともに、上記相手端末との間のデータのやりとりは、所定のＩＴＵ−Ｔ勧告Ｔ．３８に準拠した伝送手順を適用する送信手段を備えたことを特徴とするネットワークファクシミリ装置。
【請求項４】  パケット通信ネットワークに接続して情報をやりとりするパケット通信ネットワーク伝送制御手段と、
疑似的にファクシミリモデム機能を実現する疑似ファクシミリモデム手段と、
上記疑似ファクシミリモデム手段に接続して、所定のモデムコマンドおよびグループ３ファクシミリ伝送手順コマンドを上記ファクシミリモデム手段との間でやりとりし、ファクシミリ通信を実現するファクシミリ通信手段と、
相手端末より受信したデータは、上記疑似ファクシミリモデム手段を介し、上記ファクシミリ通信手段へ送出するとともに、上記相手端末との間のデータのやりとりは、所定のＩＴＵ−Ｔ勧告Ｔ．３８に準拠した伝送手順を適用する受信手段を備えたことを特徴とするネットワークファクシミリ装置。
【請求項５】  パケット通信ネットワークに接続して情報をやりとりするパケット通信ネットワーク伝送制御手段と、
疑似的にファクシミリモデム機能を実現する疑似ファクシミリモデム手段と、
上記疑似ファクシミリモデム手段に接続して、所定のモデムコマンドおよびグループ３ファクシミリ伝送手順コマンドを上記ファクシミリモデム手段との間でやりとりし、ファクシミリ通信を実現するファクシミリ通信手段と、
アナログ公衆網へ接続し、グループ３ファクシミリモデム機能を備えたアナログ通信手段と、
グループ３ファクシミリ伝送手順において上記ファクシミリ通信手段から上記疑似ファクシミリモデム手段へ送出されるデータは、上記パケット通信ネットワーク伝送制御手段を介し、上記パケット通信ネットワークを介して接続される相手端末へ送出するとともに、上記相手端末との間のデータのやりとりは、所定のＩＴＵ−Ｔ勧告Ｔ．３８に準拠した伝送手順を適用する送信手段と、
上記パケット通信ネットワークを介して、上記相手端末へ接続できなかった場合には、上記ファクシミリ通信手段と上記アナログ通信手段を接続し、上記アナログ公衆網を介してファクシミリ通信を行うアナログ通信制御手段を備えたことを特徴とするネットワークファクシミリ装置。
【請求項６】  パケット通信ネットワークに接続して情報をやりとりするパケット通信ネットワーク伝送制御手段と、
疑似的にファクシミリモデム機能を実現する疑似ファクシミリモデム手段と、
上記疑似ファクシミリモデム手段に接続して、所定のモデムコマンドおよびグループ３ファクシミリ伝送手順コマンドを上記ファクシミリモデム手段との間でやりとりし、ファクシミリ通信を実現するファクシミリ通信手段と、
アナログ公衆網へ接続し、グループ３ファクシミリモデム機能を備えたアナログ通信手段と、
相手端末より受信したデータは、上記疑似ファクシミリモデム手段を介し、上記ファクシミリ通信手段へ送出するとともに、上記相手端末との間のデータのやりとりは、所定のＩＴＵ−Ｔ勧告Ｔ．３８に準拠した伝送手順を適用する受信手段と、
上記パケット通信ネットワークを介して、上記相手端末へ接続できなかった場合には、上記ファクシミリ通信手段と上記アナログ通信手段を接続し、上記アナログ公衆網を介してファクシミリ通信を行うアナログ通信制御手段を備えたことを特徴とするネットワークファクシミリ装置。
【請求項７】  パケット通信ネットワークに接続して情報をやりとりするパケット通信ネットワーク伝送制御手段と、
疑似的にファクシミリモデム機能を実現する疑似ファクシミリモデム手段と、
上記疑似ファクシミリモデム手段に接続して、所定のモデムコマンドおよびグループ３ファクシミリ伝送手順コマンドを上記ファクシミリモデム手段との間でやりとりし、ファクシミリ通信を実現するファクシミリ通信手段を備えた通信装置に適用されるものであって、
グループ３ファクシミリ伝送手順において上記ファクシミリ通信手段から上記疑似ファクシミリモデム手段へ送出されるデータは、上記パケット通信ネットワーク伝送制御手段を介し、上記パケット通信ネットワークを介して接続される相手端末へ送出し、上記相手端末より受信したデータは、上記疑似ファクシミリモデム手段を介し、上記ファクシミリ通信手段へ送出するとともに、上記相手端末との間のデータのやりとりは、所定のＩＴＵ−Ｔ勧告Ｔ．３８に準拠した伝送手順を適用するソフトウェアを格納した記憶媒体。
【請求項８】  パケット通信ネットワークに接続して情報をやりとりするパケット通信ネットワーク伝送制御手段と、
疑似的にファクシミリモデム機能を実現する疑似ファクシミリモデム手段と、
上記疑似ファクシミリモデム手段に接続して、所定のモデムコマンドおよびグループ３ファクシミリ伝送手順コマンドを上記ファクシミリモデム手段との間でやりとりし、ファクシミリ通信を実現するファクシミリ通信手段と、
アナログ公衆網へ接続し、グループ３ファクシミリモデム機能を備えたアナログ通信手段を備えた通信装置に適用されるものであって、
グループ３ファクシミリ伝送手順において上記ファクシミリ通信手段から上記疑似ファクシミリモデム手段へ送出されるデータは、上記パケット通信ネットワーク伝送制御手段を介し、上記パケット通信ネットワークを介して接続される相手端末へ送出し、上記相手端末より受信したデータは、上記疑似ファクシミリモデム手段を介し、上記ファクシミリ通信手段へ送出するとともに、上記相手端末との間のデータのやりとりは、所定のＩＴＵ−Ｔ勧告Ｔ．３８に準拠した伝送手順を適用し、
さらに、上記パケット通信ネットワークを介して、上記相手端末へ接続できなかった場合には、上記ファクシミリ通信手段と上記アナログ通信手段を接続し、上記アナログ公衆網を介してファクシミリ通信を行うようにするソフトウェアを格納した記憶媒体。
【手続補正２】
【補正対象書類名】明細書
【補正対象項目名】０００５
【補正方法】変更
【補正の内容】
【０００５】
【課題を解決するための手段】
本発明は、パケット通信ネットワークに接続して情報をやりとりするパケット通信ネットワーク伝送制御手段と、疑似的にファクシミリモデム機能を実現する疑似ファクシミリモデム手段と、上記疑似ファクシミリモデム手段に接続して、所定のモデムコマンドおよびグループ３ファクシミリ伝送手順コマンドを上記疑似ファクシミリモデム手段との間でやりとりし、ファクシミリ通信を実現するファクシミリ通信手段を備え、グループ３ファクシミリ伝送手順において上記ファクシミリ通信手段から上記疑似ファクシミリモデム手段へ送出されるデータは、上記パケット通信ネットワーク伝送制御手段を介し、上記パケット通信ネットワークを介して接続される相手端末へ送出し、上記相手端末より受信したデータは、上記疑似ファクシミリモデム手段を介し、上記ファクシミリ通信手段へ送出するとともに、上記相手端末との間のデータのやりとりは、所定のＩＴＵ−Ｔ勧告Ｔ．３８に準拠した伝送手順を適用することを特徴とするネットワークファクシミリ通信制御方法である。
【手続補正３】
【補正対象書類名】明細書
【補正対象項目名】０００６
【補正方法】変更
【補正の内容】
【０００６】
また、パケット通信ネットワークに接続して情報をやりとりするパケット通信ネットワーク伝送制御手段と、疑似的にファクシミリモデム機能を実現する疑似ファクシミリモデム手段と、上記疑似ファクシミリモデム手段に接続して、所定のモデムコマンドおよびグループ３ファクシミリ伝送手順コマンドを上記ファクシミリモデム手段との間でやりとりし、ファクシミリ通信を実現するファクシミリ通信手段と、アナログ公衆網へ接続し、グループ３ファクシミリモデム機能を備えたアナログ通信手段を備え、グループ３ファクシミリ伝送手順において上記ファクシミリ通信手段から上記疑似ファクシミリモデム手段へ送出されるデータは、上記パケット通信ネットワーク伝送制御手段を介し、上記パケット通信ネットワークを介して接続される相手端末へ送出し、上記相手端末より受信したデータは、上記疑似ファクシミリモデム手段を介し、上記ファクシミリ通信手段へ送出するとともに、上記相手端末との間のデータのやりとりは、所定のＩＴＵ−Ｔ勧告Ｔ．３８に準拠した伝送手順を適用し、さらに、上記パケット通信ネットワークを介して、上記相手端末へ接続できなかった場合には、上記ファクシミリ通信手段と上記アナログ通信手段を接続し、上記アナログ公衆網を介してファクシミリ通信を行うようにすることを特徴とするネットワークファクシミリ通信制御方法である。
【手続補正４】
【補正対象書類名】明細書
【補正対象項目名】０００７
【補正方法】変更
【補正の内容】
【０００７】
また、パケット通信ネットワークに接続して情報をやりとりするパケット通信ネットワーク伝送制御手段と、疑似的にファクシミリモデム機能を実現する疑似ファクシミリモデム手段と、上記疑似ファクシミリモデム手段に接続して、所定のモデムコマンドおよびグループ３ファクシミリ伝送手順コマンドを上記ファクシミリモデム手段との間でやりとりし、ファクシミリ通信を実現するファクシミリ通信手段と、グループ３ファクシミリ伝送手順において上記ファクシミリ通信手段から上記疑似ファクシミリモデム手段へ送出されるデータは、上記パケット通信ネットワーク伝送制御手段を介し、上記パケット通信ネットワークを介して接続される相手端末へ送出するとともに、上記相手端末との間のデータのやりとりは、所定のＩＴＵ−Ｔ勧告Ｔ．３８に準拠した伝送手順を適用する送信手段を備えたことを特徴とするネットワークファクシミリ装置である。
【手続補正５】
【補正対象書類名】明細書
【補正対象項目名】０００８
【補正方法】変更
【補正の内容】
【０００８】
また、パケット通信ネットワークに接続して情報をやりとりするパケット通信ネットワーク伝送制御手段と、疑似的にファクシミリモデム機能を実現する疑似ファクシミリモデム手段と、上記疑似ファクシミリモデム手段に接続して、所定のモデムコマンドおよびグループ３ファクシミリ伝送手順コマンドを上記ファクシミリモデム手段との間でやりとりし、ファクシミリ通信を実現するファクシミリ通信手段と、相手端末より受信したデータは、上記疑似ファクシミリモデム手段を介し、上記ファクシミリ通信手段へ送出するとともに、上記相手端末との間のデータのやりとりは、所定のＩＴＵ−Ｔ勧告Ｔ．３８に準拠した伝送手順を適用する受信手段を備えたことを特徴とするネットワークファクシミリ装置である。
【手続補正６】
【補正対象書類名】明細書
【補正対象項目名】０００９
【補正方法】変更
【補正の内容】
【０００９】
また、パケット通信ネットワークに接続して情報をやりとりするパケット通信ネットワーク伝送制御手段と、疑似的にファクシミリモデム機能を実現する疑似ファクシミリモデム手段と、上記疑似ファクシミリモデム手段に接続して、所定のモデムコマンドおよびグループ３ファクシミリ伝送手順コマンドを上記ファクシミリモデム手段との間でやりとりし、ファクシミリ通信を実現するファクシミリ通信手段と、アナログ公衆網へ接続し、グループ３ファクシミリモデム機能を備えたアナログ通信手段と、グループ３ファクシミリ伝送手順において上記ファクシミリ通信手段から上記疑似ファクシミリモデム手段へ送出されるデータは、上記パケット通信ネットワーク伝送制御手段を介し、上記パケット通信ネットワークを介して接続される相手端末へ送出するとともに、上記相手端末との間のデータのやりとりは、所定のＩＴＵ−Ｔ勧告Ｔ．３８に準拠した伝送手順を適用する送信手段と、上記パケット通信ネットワークを介して、上記相手端末へ接続できなかった場合には、上記ファクシミリ通信手段と上記アナログ通信手段を接続し、上記アナログ公衆網を介してファクシミリ通信を行うアナログ通信制御手段を備えたことを特徴とするネットワークファクシミリ装置である。
【手続補正７】
【補正対象書類名】明細書
【補正対象項目名】００１０
【補正方法】変更
【補正の内容】
【００１０】
また、パケット通信ネットワークに接続して情報をやりとりするパケット通信ネットワーク伝送制御手段と、疑似的にファクシミリモデム機能を実現する疑似ファクシミリモデム手段と、上記疑似ファクシミリモデム手段に接続して、所定のモデムコマンドおよびグループ３ファクシミリ伝送手順コマンドを上記ファクシミリモデム手段との間でやりとりし、ファクシミリ通信を実現するファクシミリ通信手段と、アナログ公衆網へ接続し、グループ３ファクシミリモデム機能を備えたアナログ通信手段と、相手端末より受信したデータは、上記疑似ファクシミリモデム手段を介し、上記ファクシミリ通信手段へ送出するとともに、上記相手端末との間のデータのやりとりは、所定のＩＴＵ−Ｔ勧告Ｔ．３８に準拠した伝送手順を適用する受信手段と、上記パケット通信ネットワークを介して、上記相手端末へ接続できなかった場合には、上記ファクシミリ通信手段と上記アナログ通信手段を接続し、上記アナログ公衆網を介してファクシミリ通信を行うアナログ通信制御手段を備えたことを特徴とするネットワークファクシミリ装置である。
【手続補正８】
【補正対象書類名】明細書
【補正対象項目名】００１１
【補正方法】変更
【補正の内容】
【００１１】
また、パケット通信ネットワークに接続して情報をやりとりするパケット通信ネットワーク伝送制御手段と、疑似的にファクシミリモデム機能を実現する疑似ファクシミリモデム手段と、上記疑似ファクシミリモデム手段に接続して、所定のモデムコマンドおよびグループ３ファクシミリ伝送手順コマンドを上記ファクシミリモデム手段との間でやりとりし、ファクシミリ通信を実現するファクシミリ通信手段を備えた通信装置に適用されるものであって、グループ３ファクシミリ伝送手順において上記ファクシミリ通信手段から上記疑似ファクシミリモデム手段へ送出されるデータは、上記パケット通信ネットワーク伝送制御手段を介し、上記パケット通信ネットワークを介して接続される相手端末へ送出し、上記相手端末より受信したデータは、上記疑似ファクシミリモデム手段を介し、上記ファクシミリ通信手段へ送出するとともに、上記相手端末との間のデータのやりとりは、所定のＩＴＵ−Ｔ勧告Ｔ．３８に準拠した伝送手順を適用するソフトウェアを格納した記憶媒体である。
【手続補正９】
【補正対象書類名】明細書
【補正対象項目名】００１２
【補正方法】変更
【補正の内容】
【００１２】
また、パケット通信ネットワークに接続して情報をやりとりするパケット通信ネットワーク伝送制御手段と、疑似的にファクシミリモデム機能を実現する疑似ファクシミリモデム手段と、上記疑似ファクシミリモデム手段に接続して、所定のモデムコマンドおよびグループ３ファクシミリ伝送手順コマンドを上記ファクシミリモデム手段との間でやりとりし、ファクシミリ通信を実現するファクシミリ通信手段と、アナログ公衆網へ接続し、グループ３ファクシミリモデム機能を備えたアナログ通信手段を備えた通信装置に適用されるものであって、グループ３ファクシミリ伝送手順において上記ファクシミリ通信手段から上記疑似ファクシミリモデム手段へ送出されるデータは、上記パケット通信ネットワーク伝送制御手段を介し、上記パケット通信ネットワークを介して接続される相手端末へ送出し、上記相手端末より受信したデータは、上記疑似ファクシミリモデム手段を介し、上記ファクシミリ通信手段へ送出するとともに、上記相手端末との間のデータのやりとりは、所定のＩＴＵ−Ｔ勧告Ｔ．３８に準拠した伝送手順を適用し、さらに、上記パケット通信ネットワークを介して、上記相手端末へ接続できなかった場合には、上記ファクシミリ通信手段と上記アナログ通信手段を接続し、上記アナログ公衆網を介してファクシミリ通信を行うようにするソフトウェアを格納した記憶媒体である。